(57)【要約】【課題】研究テーマの選考基準情報を提供する。【解決手段】研究テーマ支援用研究テーマ情報とその関連情報を蓄積する。研究テーマ情報は部門ごとに分類された研究テーマ群で、研究テーマは現場ニーズの高いものである。研究テーマに関する最新の属性情報から研究優先順位を算出して一覧表示する。属性情報はコストメリットや、専用技術か汎用技術かなどの水平展開情報を含む。研究テーマは研究優先順位順に表示する。選択した研究テーマの表示欄に選考済みマークを表示する。研究テーマの研究結果が採用されたときは、研究テーマの表示欄に、現場採用マークが表示される。選考済みフラグや採用済みフラグは研究テーマの属性情報として、研究テーマ関連情報データベースに反映される。現場サイトのニーズの高さを考慮した研究テーマに対し、現場サイトを考慮した研究優先順位を定めることで、研究テーマの選考が容易になる。【選択図】        図８
2007156920.tif 000002
【特許請求の範囲】
【請求項１】
現場ニーズに対応して抽出され、部門ごとに分類された研究テーマ群を選択するステップと、
上記研究テーマ群より選択された研究テーマに関連する複数の選考参照項目に該当する属性情報の評価点を合算するステップと、
合算した総合評価点を研究優先順位として、上記研究テーマの表示欄に付して一覧表示するステップと
からなることを特徴とする研究テーマ選考支援方法。
【請求項２】
上記一覧表示された研究テーマ群より、１つの研究テーマが選択されたとき、当該研究テーマに対し、選考済みフラグを立てて上記研究テーマの表示欄に表示するステップをさらに有する
ことを特徴とする請求項１記載の研究テーマ選考支援方法。
【請求項３】
上記選考参照項目に当てられた評価点は、入力後に変更できるものとし、
上記総合評価点は最新の評価点に基づいて算出される
ことを特徴とする請求項１記載の研究テーマ選考支援方法。
【請求項４】
選考された研究テーマに対する解決手段が現場で採用されたときは、現場採用フラグを立て、
上記研究テーマの表示欄に表示するステップを有する
ことを特徴とする請求項１記載の研究テーマ選考支援方法。
【請求項５】
現場ニーズに対応して抽出された部門ごとに分類された研究テーマ群を保存するデータベースと、
研究テーマに対する関連情報を保存するデータベースと、
これらデータベースの情報を検索することで、上記研究テーマ群を一覧表示して、上記研究テーマに対しての選考処理等を行う端末装置と
からなることを特徴とする研究テーマ選考支援システム。
【請求項６】
上記関連情報には、選考した研究テーマに対する研究履歴情報などの属性情報が含まれる
ことを特徴とする請求項５記載の研究テーマ選考支援システム。
【請求項７】
上記２つのデータベースには、上記端末装置によって選択された特定の情報が反映されて保存される
ことを特徴とする請求項５記載の研究テーマ選考支援システム。
【発明の詳細な説明】
【技術分野】
【０００１】
この発明は、研究テーマ選考支援方法および研究テーマ選考支援システムに関する。詳しくは現場ニーズの高い研究テーマを部門ごとに区分けして分類すると共に、それぞれの研究テーマごとに研究優先順位を付けて一覧表示することで、研究者にとって現在最もニーズの高い研究テーマの把握を容易にすると共に、研究テーマを現場サイドに立って選考できるようにしたものである。
【背景技術】
【０００２】
研究所や研究開発グループに所属する研究者が、自分の研究テーマとして特定のテーマの研究を選択し、研究に着手するケースとしては、現場の技術者からの状況聞き取りに基づく場合や、他の部門からの依頼に基づく場合などが考えられる。このような場合、研究者サイドに沿うものとして、研究テーマの選考や研究テーマの検索を支援するシステムがあれば好都合である。
【０００３】
研究者に対して過去の研究テーマや実績などを検索して支援するシステムは既に開発されている（例えば特許文献１）。また、研究情報の検索結果に基づいて絞り込みを行う（情報の削除処理を行う）思考過程（プロセス）を残しておくことで、今後の研究をより充実させられるようにした研究情報検索方法も知られている（例えば特許文献２）。
【０００４】
【特許文献１】特開２００２−１７５３１２号公報
【特許文献２】特許第３４６８７３７号
【発明の開示】
【発明が解決しようとする課題】
【０００５】
ところで、上述したように現場などからの依頼ケースに基づいて実際に研究テーマを選択し、研究に着手し、そしてある程度の解決手段を見出したときは、現場サイトや、依頼部門に、その旨を伝達したり、報告書を作成して担当上司に提出することになる。
【０００６】
しかし、現場の技術者からの聞き取りによって始めた研究であっても、その研究テーマが実際その現場全体で共通な問題点として認識している場合はともかく、それ以外であったようなときには、問題点の認識に隔たりがあり、担当技術者がその職場を離れたようなときや担当上司が替わったようなときには、その研究テーマは、現場の問題点として殆ど意識されていないケースもあり得る。
【０００７】
このような場合には、折角研究して解決手段を見い出したにも拘わらず、現場サイドで生かされないことになるから、有効利用が図られず、研究が無駄になるおそれがある。また、解決手段は見出したが、コストなどの問題をクリアできない場合も、同様なケースを辿る場合が多い。これは、現場の状況が充分反映されていない結果と言える。
【０００８】
そこで、この発明はこのような従来の課題を解決したものであって、特に共通認識として捉えることができる現場ニーズの高い改善依頼などを研究テーマとして選別すると共に、現場ニーズを反映させた研究優先順位を研究希望順位として研究テーマ表示欄に表示することで、現場ニーズを反映させた研究テーマの選考を実現した研究テーマ選考支援方法およびその支援システムを提案するものである。
【課題を解決するための手段】
【０００９】
上述の課題を解決するため、請求項１に記載したこの発明に係る研究テーマ選考支援方法は、現場ニーズに対応して抽出され、部門ごとに分類された研究テーマ群を選択するステップと、
上記研究テーマ群より選択された研究テーマに関連する複数の選考参照項目に該当する属性情報の評価点を合算するステップと、
合算した総合評価点を研究優先順位として、上記研究テーマの表示欄に付して一覧表示するステップからなることを特徴とする。
【００１０】
また、請求項５に記載したこの発明に係る研究テーマ選考支援システムは、現場ニーズに対応して抽出された部門ごとに分類された研究テーマ群を保存するデータベースと、
研究テーマに対する関連情報を保存するデータベースと、
これらデータベースの情報を検索することで、上記研究テーマ群を一覧表示して、上記研究テーマに対しての選考処理等を行う端末装置とからなることを特徴とする。
【００１１】
この発明では、少なくとも２つの蓄積手段にそれぞれ研究テーマを支援するための情報を蓄積しておく。そしてそれらの蓄積手段をデータベース化して容易に検索できるようにしておく。
【００１２】
一方のデータベース（研究テーマ情報データベース）には、部門ごとに分類された研究テーマ群が蓄積される。分類する部門は企業の内部組織に基づく場合もあれば、技術分野ごとに分類する場合もあり、適宜な分類手法を採用できる。例えば、電力に関連した分野であれば、火力発電、水力発電、原子力発電、その他の分散発電などを中心に整理した（総括した）発電部門を１つの部門として分類したり、あるいはそれぞれの発電の種類ごとに部門を分類したりすることで対応する。
【００１３】
それぞれの部門に所属する現場サイトから提出された改善希望内容を吟味し、現場サイトの共通認識として把握できるもので、しかも現場ニーズが高く、コスト低減効果が見込まれるものをベースにして研究対象となるテーマが選別される。選別されたこれら研究テーマが部門ごとに分類されてデータベース化される。
【００１４】
もう一つのデータベース（研究テーマ関連情報データベース）には、研究テーマごとにその研究テーマに関連した研究テーマ関連情報が蓄積されている。研究テーマについてその属性情報も関連情報の一部であり、この属性情報が変更されたようなときは、研究テーマ関連情報と共に連係して適宜更新され、該当する研究テーマに対する研究結果が現場サイトで採用されたようなときはその情報も研究テーマ関連情報として蓄積される。
【００１５】
研究者が特定の部門の特定の研究テーマを選択したときは、選択された研究テーマに関する最新の属性情報を用いて研究優先順位を算出する。この研究優先順位は現場サイトを考慮した研究希望順位であるが、研究者はこの順位に拘泥されないないで研究テーマを選考できる。そのため、属性情報としては、コストメリットや、専用技術か汎用技術かなどの水平展開情報が考えられ、これらの視点から評価点を定め、それらの総合評価点の多い順に研究優先順位が付される。過去の研究テーマに対する関連情報を蓄積しておくことで、研究テーマに対する実績などを活用できる。
【００１６】
算出された研究優先順位と、その他の研究テーマに対して既に算出された研究優先順位とを融合させて研究優先順位の順に研究テーマを一覧表示する。一覧表示から研究テーマを選考（選択）する。研究テーマが選択されると、選択された研究テーマの表示欄に、選考済みマーク、例えば「Ｙ」が表示される。研究テーマの研究結果が実際に現場サイトで採用されたときは、この研究テーマの表示欄に、現場採用を示すマークこの例では「Ｙ」が表示される。選考済みフラグや採用済みフラグは何れも研究テーマの属性情報として、研究テーマ関連情報データベースに反映される。
【００１７】
このように、現場サイトのニーズの高さを考慮した研究テーマに対し、現場サイトを考慮した研究優先順位を定めることで、研究テーマの選考が容易になると共に、無駄な研究を極力回避できる。
【発明の効果】
【００１８】
この発明は、現場サイトのニーズの高さを考慮した研究テーマに対し、現場サイトを考慮した研究優先順位を研究テーマと共に表示できるようにしたものである。
【００１９】
これによれば、それぞれの研究テーマごとに研究優先順位を付けて一覧表示されているので、研究者にとって現在最もニーズの高い研究テーマの把握が容易になると共に、研究テーマを現場サイドに立って選考できるから、無駄な研究を極力避けることができ、研究が徒労に終わるようなことがない。
【発明を実施するための最良の形態】
【００２０】
続いて、この発明に係る研究テーマ選考支援方法およびその支援システムの好ましい実施例を図面を参照して詳細に説明する。
【実施例１】
【００２１】
図１はこの発明に係る研究テーマ選考支援システム１０の一例を示す。この例では、インターネットなどの広域ネット１２を活用してこれに接続された何れの端末装置１４からでも、研究テーマ選考支援システム１０を構築する端末装置（研究テーマ選考支援装置）７０をアクセスして、その内容を検索できるようになされている。支援装置７０にはデータベース１１０が関連され、支援装置７０からデータベース１１０の内容を見ることもできれば、他の端末装置１４から直接このデータベース１１０にアクセスしてデータベース１１０の内容を検索できる。
【００２２】
データベース１１０は、この例では２つのデータベース１１０Ａ，１１０Ｂ（図７参照）で構成され、一方のデータベース１１０Ａには研究テーマ情報が蓄積され、他方のデータベース１１０Ｂは研究テーマ関連情報が蓄積されている。研究テーマは上述したように部門ごとに分類されて蓄積される。
【００２３】
選択された部門に関する研究テーマは一覧表示される。そして、研究テーマ関連情報に付随した属性情報に基づいて、選択された部門における研究テーマの研究優先順位が決定される。研究優先順位は研究テーマに関連して表示される。研究テーマは研究優先順位の順に一覧表示される。順位の確認を容易にするためである。
【００２４】
研究優先順位は、現場サイトにおける研究希望順位を表し、基本的にはこの研究優先順位の高い研究テーマから順次研究に着手するものであるが、研究者はこの研究優先順位に拘束されるものではない。研究テーマ関連情報に関連した属性情報の内容は適宜更新できるものであるから、研究優先順位を算出するときは最新の属性情報が利用される。
【００２５】
研究者などは、これらのデータベース１１０Ａ、１１０Ｂの情報を参考にしながら、研究テーマの選考がなされる。特定の研究テーマが選択されたり、その研究テーマが実際に現場で活用されたときには、それらの情報を研究テーマ情報および関連情報に反映させることができる。詳細は後述する。
【００２６】
さて、上述した研究テーマ情報データベース１１０Ａには、部門ごとに分類された研究テーマ群が蓄積される。分類する部門は企業の内部組織に基づく場合もあれば、技術分野ごとに分類する場合もあり、適宜な分類手法を採用できる。例えば、電力に関連した分野であれば、火力発電、水力発電、原子力発電、その他の分散発電などを中心に整理した発電部門を１つの部門として分類したり、あるいはそれぞれの発電の種類ごとに部門を分類したりすることで対応する。
【００２７】
電力に関連した分野を参考に説明すると、上述した発電分野の他に、送電分野、配電分野、変電分野、通信分野、これらの各分野に共通する設備の分野など、分類しようとする分野は多岐に亘る。どのように分類するかは任意であり、以下説明する例では、説明を簡略化するため、上述した分野を５つの部門に分類した。その部門とは、発電部門であり、電力所部門であり、給電所部門であり、通信システム部門であり、そしてその他の部門である。
【００２８】
そして、それぞれの部門に所属する現場サイトから提出された改善希望内容を中心に研究すべきテーマを吟味し、しかも現場サイトの共通認識として把握できるもので、かつ現場ニーズが高く、コスト低減効果が見込まれるものをベースにして研究対象となるテーマが選別される。選別された研究テーマが部門ごとに分類されてデータベース化されて、研究テーマ情報データベース１１０Ａに蓄積される。
【００２９】
もう一つのデータベース１１０Ｂは、研究テーマ関連情報データベースである。このデータベース１１０Ｂには、研究テーマごとにその研究テーマに関連した研究テーマ関連情報が蓄積されている関連情報としては、その研究テーマに対するコストメリットの他に、応用面を考慮した水平展開の有無、改善優先順位、重要度などである。これらの関連情報には、さらに属性情報が付加される。属性情報は研究テーマの研究優先順位を算出するために利用できる情報などが含まれる。詳細は後述する。
【００３０】
図２は、これらデータベース１１０Ａ，１１０Ｂに情報を蓄積するための入力設定例を示す。
【００３１】
選考支援装置７０が起動され、入力設定メニューが選択されると、例えば図２に示すような入力設定画面２０（２０Ａ）が表示される。この入力設定画面２０Ａにはまず研究の対象となる部門欄２２が表示される。上述したようにこの例では５つの部門に区分されているので、これら５つの部門名が表示され、どの部門に関する入力設定かが、マウスなどのポインタを利用して選択される。
【００３２】
続けて、選択された部門に関する研究テーマ表示欄２４において、研究テーマのタイトルが入力される。研究テーマは、具体的な内容で、例えば３０文字以内の文字数によって表される。例えば、「高調波制御システム」などのように入力される。
【００３３】
続けて、この研究テーマに対する関連情報が入力される。関連情報の入力欄３０にはその属性情報も入力できるように構成されている。関連情報として、この例ではコストメリット、水平展開、改善優先順位および重要度を列挙する。
【００３４】
関連情報としては、第１に選考参照項目の１つである研究テーマに対するコストメリットであり、このコストメリットの表示欄の右側には属性情報に関する評価欄３２が設けられている。コストメリットに対してはその属性情報を３つのレベルに細分する。例えば、コストメリットが高い順に、（高い、普通および低い）のように属性情報を区分する。このレベル設定は、現場サイトの意見を考慮した上で決定される。区分（設定レベル）によって異なる評価点が付される。評価点は、他の評価点を総合した総合評価点に基づいて、その研究テーマに対する研究優先順位を定めるための指標となる。
【００３５】
第２は、その研究テーマが専門分野のみに留まるのか、あるいは汎用性があって、応用範囲が広い分野に属するかという水平展開情報が挙げられる。例えば電力関連に止まらず、広範な応用が期待できれば、その研究テーマは水平展開が可能なテーマとなるからである。その属性情報として挙げた専門性と汎用性とで異なる評価点が付される。
【００３６】
改善優先順位は、緊急性を要するテーマであるかどうかであって、現場サイトからの要望を基準にして、研究テーマを管理する部署によって決定される。そして、その属性情報が、「急ぐ」テーマなのか否かによって評価点が分かれる。
【００３７】
研究テーマの重要度も関連情報の１つとして挙げられる。重要なテーマであるなら、それだけ早めに研究に着手する必要がある。この場合もその属性情報としては一例として３段階程度に分類できる。なお、入力設定情報は変更（更新）することができる。その場合には表示画面２０Ａの更新欄３４をクリックすることで行う。
【００３８】
このように表示画面２０Ａを利用して各種情報の入力が行われるが、そのうち、研究部門情報、研究テーマ情報は何れも研究テーマ情報用のデータベース１１０Ａに蓄積される。そしてその他の入力情報は研究テーマ関連情報用のデータベース１１０Ｂに蓄積される。
【００３９】
研究テーマの属性情報が変更されたようなときは、研究テーマ関連情報も連係して適宜更新され、該当する研究テーマに対する研究結果が現場サイトで採用されたようなときはその情報も研究テーマ関連情報として蓄積される。
【００４０】
さて、このような情報を蓄積したデータベース１１０Ａ，１１０Ｂを活用して実際に選考支援装置７０を起動させて特定の研究テーマを選考するための手順を支援装置７０に備えられたモニタ画面を参照して説明する。
【００４１】
実際には支援装置７０に搭載された研究テーマ選考支援システムに関する処理プログラムを起動することによって実行される。この処理プログラムを起動して最初のメニュー画面を選択すると、図３に示すような部門選択画面が表示される。この表示画面２０Ｂには、研究テーマ部門が表示される。この例では５つの部門が表示される。研究者は、研究しようとする部門をクリックして選択する。
【００４２】
特定の部門が選択されたときには、表示画面２０Ｃには図４に示すようなその部門に登録されている研究テーマが一覧表示される。この例は、研究優先順位の順で研究テーマが表示される。研究テーマには、その研究テーマごとに図２に示すような属性情報が格納されているため、当初は図２に示す入力時の属性情報を最新情報と見なして、属性情報から総合評価点が合算され、合算された総合評価点に基づいて研究優先順位をそのデフォルト情報として表示する。
【００４３】
研究者が一覧表示より特定の研究テーマを選択したときは、選択された研究テーマに関しては最新の属性情報を用いて総合評価点を算出する。各属性情報の評価点が変更されている可能性があるからである。そして、既に算出された他の研究テーマに関する総合評価点に基づいて、それらのうちの総合評価点の高い方が、優先順位の高い研究テーマとする。研究優先順位の高い方から順に表示画面２０Ｃに一覧表示される。
【００４４】
この研究優先順位は現場サイトを考慮した研究希望順位であって、この研究優先順位の順に研究テーマを選考するのが原則であるが、研究者の専門分野等を考慮して、研究者はこの順位に拘泥されないないで研究テーマを選考できることとしている。
【００４５】
研究テーマが選択されると、その研究テーマに関する属性情報表示欄４０にその旨が表示される。この例では研究テーマを選択すると「Ｙ」が表示される。まだ選択されていない研究テーマの欄は、「Ｎ」が表示される。したがって、この表示欄４０を見るだけで、研究中のテーマか否かを把握できる。
【００４６】
上述したように研究テーマを選択すると、直ちに選択された研究テーマに関する属性情報を用いてその研究テーマの総合評価点が算出される。総合評価点の詳細情報を表示するには表示欄４４をクリックする。
【００４７】
表示欄４４をクリックすると、図５に示すような詳細情報が表示される。この表示画面２０Ｄには、選択した研究テーマが表示される。その他に、属性情報表示欄５０には上述した属性情報を決定する項目と、それぞれの項目に対する設定情報（レベル）などが表示される。またそれぞれのレベルの重み係数としての評価点が表示される。この例では１０点を最高点として割り振った場合を示す。例えば３段階評価の場合には、その上位より（１０，７，５）のように設定される。２段階評価では、（１０，６）のように設定できる。ただし、これらはあくまで一例である。そして、合算された総合評価点に基づく研究優先順位が表示される。図５の例は、他の研究テーマの総合評価点が何れも低いものとした場合であるので、第１位が表示されている。
【００４８】
このように研究優先順位ごとに研究テーマを一覧表示することで、研究テーマの選考が容易になる。また、これは無駄な研究を回避することにも繋がる。
【００４９】
研究者が研究テーマを選択すると、総合評価点の算出および研究優先順位の表示が行われるが、図４の表示画面２０Ｃあるいは図５の表示画面２０Ｄで、次画面表示欄４６又は５２をクリックすると、図６に示すような入力画面が表示される。この表示画面２０Ｅは、研究テーマに関する関連情報として研究者のＩＤを含めた研究履歴情報の入力画面である。
【００５０】
この表示画面２０Ｅにあって、表示欄６０には選択した研究対象部門、研究テーマおよび研究優先順位などが表示されるが、これは図３および図４の情報の貼り付け処理である。研究優先順位の表示欄の右側には、総合評価点の詳細情報を開くための表示欄６２が設けられている。図４の表示をスキップしたようなときに利用される。
【００５１】
この表示画面２０Ｅにおいても情報の入力処理が行われる。まず、誰が研究テーマを選考したかを特定するため、この例では研究者のＩＤが入力される。次の研究履歴情報表示欄６４は、研究の過程でそれぞれ入力ための欄であって、研究テーマの選択日は、研究テーマを選考した日付を確定するために必要である。報告書提出日は、中間報告を含めた提出日を入力する。研究テーマを完遂できなかったときも報告書が提出される。
【００５２】
研究テーマが終了したときは研究テーマ部門への報告日、必要ならその部門や現場サイトに対するプレゼンテーションの日付などが記入される。そして、研究テーマに対する解決策が見出され、部門から試作などの「ゴーサイン」が出たときはその日付を確定させる。また、実際に現場サイトでの採用が決定したときはその旨（日付等）が入力される。
【００５３】
これらの情報は、研究テーマの関連情報としてデータベース１１０Ｂにその都度蓄積されて、保存される。過去の研究テーマに対する関連情報などもこのデータベース１１０Ｂには保存されているが、これは研究者やその他の技術者にとって研究テーマの関連情報や属性情報その実績などは、実際の研究現場で充分活用できる情報となり得るからである。
【００５４】
続いて、以上述べた研究テーマ選考支援システム１０に活用される選考支援装置７０の概要を図７を参照して説明する。この選考支援装置７０はマイクロコンピュータが使用され、したがってシステム全体の制御を司る制御部（ＣＰＵ）７２を始めとして、上述した処理プログラムなどが格納されたメモリ手段（例えばＲＯＭ）７４，ワーキング用のメモリ手段（例えばＲＡＭ）７６がバス８２に接続されて構成される。さらに画面表示用のモニタ７８や外部入力手段としての操作部８０などがバス８２に接続されて構成される。このバス８２には内部ネットワーク８４を介して上述したデータベース１１０が接続される。上述した処理プログラムを起動することで、図２以下の処理がモニタ７８の表示画面２０（２０Ａ〜２０Ｅ）を利用して実行できる。
【００５５】
この処理プログラムを起動することによってデータベース１１０の情報を参照しながら実現される、研究テーマに対する選考支援の処理例を図８を参照して説明する。
【００５６】
まず、研究対象となる部門の選択がチェックされ（ステップ９１）、研究対象部門が選択されたときには、選択された当該部門に分類された複数の研究テーマに関連した属性情報に基づいて総合評価点が算出されると共に、参照された総合評価点に基づいて暫定的ではあるが、研究テーマが研究優先順位の順に一覧表示される（ステップ９２，９３）。
【００５７】
その後、一覧表示された中での研究テーマの選択がチェックされ（ステップ９４）、所定時間経過しても研究テーマが選択されないときはタイムアウトとして選考支援処理を終了させる（ステップ９５）。
【００５８】
タイムアウトの前に一覧表示中より研究テーマが選択されたときには（ステップ９４）、その研究テーマが既に選択された研究テーマであるかどうかが判断され（ステップ９６）、誤って既に選択されたものと同一の研究テーマが選択されたときには再選択指示を行う（ステップ９７）。再選択指示は表示画面２０上にその旨を表示するか、音声案内によって行う。
【００５９】
新たな研究テーマが選択されたときは、該当する研究テーマの欄に選択済みフラグを立てると共に、研究テーマ一覧表示画面の選択済み表示欄４０の表示の切り替えを行って選考処理を終了する（ステップ９８）。
【００６０】
図９は研究テーマ関連情報（図６参照）の１つとして、研究履歴情報欄に現場採用決定情報が入力されたときの処理例を示すものである。この場合には、この決定関連情報を監視し、関連情報の変更の有無がチェックされる（ステップ１２１）。関連情報の内容に変更があったときには、その変更情報が現場採用決定情報かどうかをチェックする（ステップ１２２）。現場採用決定情報であるときは、決定一覧表示情報の現場採用欄４２（図４参照）の表示を「Ｎ」から「Ｙ」に切り替える（ステップ１２３）。
【００６１】
これと同時に、図６に表示された研究テーマ関連情報のうち変更された情報がデータベース１１０Ｂに蓄積されて、変更情報がデータベース１１０Ｂに反映される（ステップ１２４）。したがって、データベース１１０Ｂには常に最新の関連情報が蓄積されていることになる。
【００６２】
このように研究テーマが現場サイトに採用されたときは、その旨を一覧表示中に表示し、最新の情報を研究者や関連技術者に知らせることで情報の共有が図られる。
【００６３】
上述した実施例では、研究すべき技術分野を電力関連分野に特定したが、特定の技術分野に限定されないことは言うまでもない。また、分類すべき分野や、研究テーマの内容などは実施例に拘泥されることなく種々の変更が可能である。要は、研究テーマに関する関連情報の１つとしてその研究テーマに対する総合評価点を付与すべき属性情報が含まれて、その属性情報に基づいて研究優先順位ごとに一覧表示されればよいからである。
【産業上の利用可能性】
【００６４】
この発明は、研究テーマを選考する際の選考支援方法および選考支援システムとして活用できる。
【図面の簡単な説明】
【００６５】
【図１】この発明に係る研究テーマ選考支援システムの一例を示す系統図である。
【図２】研究テーマに関連した入力設定例を示す画面表示例を示す図である。
【図３】研究テーマ部門選択画面表示例を示す図である。
【図４】研究テーマ一覧表示例を示す図である。
【図５】研究優先順位を決定するための総合評価点の評価項目関連を示す図である。
【図６】研究テーマ関連情報の画面表示例を示す図である。
【図７】この発明に係る研究テーマ選考支援システムに適用できる研究テーマ選考支援装置の一例を示す系統図である。
【図８】この発明に係る研究テーマ選考支援方法の処理例を示すフローチャートである。
【図９】研究テーマ一覧表示画面に反映させるための処理例を示すフローチャートである。
【符号の説明】
【００６６】
１０・・・研究テーマ選考支援システム
１２・・・インターネット
１４・・・端末装置
７０・・・選考支援装置
１１０（１１０Ａ、１１０Ｂ）・・・データベース
７２・・・ＣＰＵ
２０・・・表示画面
４０・・・選択済み表示欄
４２・・・現場採用表示欄
【図１】
2007156920.tif 000003
【図２】
2007156920.tif 000004
【図３】
2007156920.tif 000005
【図４】
2007156920.tif 000006
【図５】
2007156920.tif 000007
【図６】
2007156920.tif 000008
【図７】
2007156920.tif 000009
【図８】
2007156920.tif 000010
【図９】
2007156920.tif 000011